【事件の表示】
　特許第２９９０８４４号「三方電磁弁」の請求項１に係る特許に対する特許異議の申立てについて、次のとおり決定する。
【結　論】
　訂正を認める。
　特許第２９９０８４４号の請求項１に係る特許を維持する。
【理　由】
１．手続の経緯
　特許第２９９０８４４号の請求項１に係る発明についての出願は、平成３年４月３０日になされたものであって、平成１１年１０月１５日にその発明について特許の設定登録がなされ、その後、飯塚勝より特許異議の申立がなされ、そして、取消理由通知がなされ、その指定期間内である平成１２年１１月３０日に訂正請求がなされたものである。
　
２．訂正の適否についての判断
２−１　特許権者の求めている訂正
　特許権者が求めている訂正は、平成１２年１２月３０日付け訂正請求書に記載された、以下のとおりのものである。
　
２−１−１　特許請求の範囲の記載に関して
　訂正事項１　
　請求項１に記載の「・・これに接続する・・シャフト先端の押し棒部が・・」を「・・これに同軸に接続する・・シャフト先端の前記ドレン弁部を介してシャフトより径小の押し棒部が・・」と訂正する。
　
２−１−２　発明の詳細な説明の記載に関して
　訂正事項２
　段落番号【０００６】に記載の「・・これに接続する・・シャフト先端の押し棒部が・・」を「・・これに同軸に接続する・・シャフト先端の前記ドレン弁部を介してシャフトより径小の押し棒部が・・」と訂正する。
　
２−２　訂正の目的の適否、新規事項の有無及び拡張・変更の存否
　訂正事項１は、特許明細書の請求項１に記載された「弁部」と「ソレノイド部」との「接続」を、特許明細書の段落番号【０００９】に記載された「ソレノイド部３は弁部２の後端に同軸に取り付けられ、・・」なる技術的事項により限定するとともに、同特許明細書の請求項１に記載された「シャフト先端の押し棒」という事項を特許明細書の段落番号【０００９】に記載の「・・シャフト９の前端部は・・ドレン弁部９１を介してシャフト９より径小の押し棒部９２となっている。・・」という技術的事項により限定するものであるから、特許請求の範囲の減縮に該当するものであって、新規事項を追加せず、しかも、実質上特許請求の範囲を拡張し、又は変更するものではない。
　
　訂正事項２は、上記の特許請求の範囲の訂正に合わせ、不明瞭となる記載を釈明するものであり、新規事項を追加せず、しかも、実質上特許請求の範囲を拡張し、又は変更するものではない。
　
２−３　むすび
　上記訂正は、特許異議の申立がなされた請求項に係るものであり、以上のとおり、特許法第１２０条の４第２項及び同条第３項で準用する特許法第１２６条第２項及び第３項の規定に適合するので、当該訂正を認める。
３　特許異議申立に対する判断
３−１　申立理由の概要
　特許異議申立人飯塚勝は、甲第１号証として、「米国特許第４８９３６５２号明細書」を提出して、本件請求項１に係る発明は、甲第１号証の刊行物に記載された発明に基づいて、当業者が容易に発明をすることができたものであるから、特許法第２９条第２項の規定により特許を受けることができないものであるので、同発明に係る特許は、拒絶査定をしなければならない特許出願に対してなされたものであり、取り消されるべき旨主張している。
　
３−２　本件の発明
　本件の請求項１に係る発明は、訂正された特許請求の範囲に記載された以下の事項により特定されるものである。
【請求項１】　弁部とこれに同軸に接続するソレノイド部とからなり、弁部には流体の吸入口と吐出口とが設けられ、弁部とソレノイド部との接続部にはドレン口が設けられ、吸入口に吸入口シートを介して連通する小径の連通路とこれに接続する大径の連通路とが弁部内に設けられ、大径の連通路が吐出口に連通されると共にドレン口シートを介してドレン口に連通されて、吐出口とドレン口とを連通する弁部内の通路の断面積が吸入口と吐出口とを連通する通路の断面積より大きくされ、吸入口シートに着座するボール弁とドレン口シートに着座するドレン弁部が形成されたシャフトとが設けられ、ソレノイド部の吸引力でシャフトを移動させ、シャフト先端の前記ドレン弁部を介してシャフトより径小の押し棒部がボール弁に当接して吸入口シートを開弁させると共に、更にシャフトが移動してドレン弁部がドレン口を閉弁させることを特徴とする三方電磁弁　
　
３−３　甲第１号証の刊行物に記載された発明
　甲第１号証の刊行物である「米国特許第４８９３６５２号明細書」には、ＦＩＧ．８の説明として、第３５欄第４２行目乃至第３７欄第６１行目に以下の旨記載されている。
　ソレノイドアセンブリ７００、コイルアセンブリ７１０、コアメンバー７０６、アマチュア７１２、調整ねじ７２０、ソレノイドバルブ６３２，６３６、バルブブランジャ７２４、ボール７３４、供給ボート７３０、クラッチボート７３２、排出ボート７２７、中央通路７４０、通路７２８、排出用円錐部７２５、供給用シート７３８等から構成された三方電磁弁である。
  また、第３７欄第１６行乃至第３３行には、以下の旨記載されている。
　非通電時（コイルアセンブリ７１０に電流を流さない）、アマチュア７１２はコアメンバー７０６に吸引されていない。そのため調整ねじ７２０は、バルブプランジャ７２４を図中左方向に押しておらず、流体は供給ボート７３０から流れ込み、ボール７３４を図中右方向に押す。そしてボール７３４は、バルブ挿入部７２６のシート７３８を閉成し、流体の流れを遮断する。従ってクラッチボート７３２に流体の流れ込みはない。またクラッチボート７３２の流体は、バルブプランジャ７２４の縦満７２４ａを通って排出ボート７２５から流出する。
　更に、第３６欄第３９行乃至第６１行、第３７欄第３４行乃至第６１行には、以下の旨記載されている。
　一方通電時は、コイルアセンブリ７１０に電流が流れ、アマチュア７１２をコイルメンバー７０６が吸引する。これにより、バルブプランジャ７２４を図中左方向に押しつけ、シート７３８とボール７３４は離脱する。その結果、流体は供給ボート７３０から流れ込み、ボール７３４、通路７４０を経てクラッチボート７３２へ流れる。同時に排出ボート７２７は円錐部７２５により閉じられる。
　これら記載と図面の記載とを併せみれば、甲第１号証の刊行物には、
　弁を構成する部分であるバルブ６３２と、ソレノイドを構成する部分であるコイルアセンブリ７１０及びコアメンバ７０６とが機能的に接続され、
　流体を吸入する口である供給ポート７３０及び流体を吐出する口であるエレメントポート７３２がバルブ６３２に配設され、
　該バルブとコイルアセンブリ７１０及びコアメンバ７０６の接続される部分にドレンを排出する口である排出ポート７２７が設けられ、
　バルブプランジャの先端部の周囲の通路径と通路７４０の径との関係は、通路７４０の方が大径であり、
　通路７４０に隣接してポート７３２が配設され、かつバルブプランジャ７２４の周囲を貫通して排出ポート７２７及び排出ポートのシートである円錐部７２５が存在し、
　ポート７３０とポート７３２を連通する通路（バルブプランジャ７２４の先端部周囲の通路）は、排出ポート７２７に運通している通路径より小さく
　シート７３８、ボール７３４、ポート７２７、及び円錐部７２５を有する排出ポート側が相対的に大径で先端が小径の押し棒を形成したバルブプランジャ７２４がシャフト状に備り、
　コイルアセンブリ７１０に電流を流すことにより、コイルメンバー７０６とアマチュア７１２が吸引し、
　バルブプランジャ７２４の小径の先端がボール７３４に当接しシート７３８を開成し、さらにバルブプランジャ７２４が移動するとポート７２７を閉成するように円錐部７２５が当接する三方電磁弁
　の発明が記載されるものと認める。
　
３−４　対比判断
　訂正された本件請求項１に記載された発明と甲第１号証の刊行物に記載された発明とを比較すると、両発明は、
弁部とこれに接続するソレノイド部とからなり、弁部には流体の吸入口と吐出口とが設けられ、弁部とソレノイド部との接続部にはドレン口が設けられ、吸入口に吸入口シートを介して連通する小径の連通路とこれに接続する大径の連通路とが弁部内に設けられ、大径の連通路が吐出口に連通されると共にドレン口シートを介してドレン口に連通されて、吐出口とドレン口とを連通する弁部内の通路の断面積が吸入口と吐出口とを連通する通路の断面積より大きくされ、吸入口シートに着座するボール弁とドレン口シートに着座するドレン弁部が形成されたシャフトとが設けられ、ソレノイド部の吸引力でシャフトを移動させ、シャフトの先端の小径の押し棒部がボール弁に当接して吸入口シートを開弁させると共に、更にシャフトが移動してドレン弁部がドレン口を閉弁させることを特徴とする三方電磁弁
の発明である点で一致し、甲第１号証の刊行物のバルブプランジャの先端部周囲の通路径と通路７４０との関係は、通路径７４０の方が大径であるものの、バルブプランジャ７２４は、その全体が小径のものではなく、ドレン流量の確保を開示または示唆するものではないので、本件請求項１に係る発明は、以下の点で、甲第１号証の刊行物のものと相違している。
相違点　
　本件請求項１に係る発明のソレノイド部は、弁部と同軸であり、吸入口に吸入口シートを介して連通する小径の連通路とこれに接続する大径の連通路とが弁部内に設けられ、ドレン口シートに着座するドレン弁部が形成されたシャフトとが設けられ、シャフト先端の前記ドレン弁部を介してシャフトより径小の押し棒部を有するものであるのに対して、甲第１号証の刊行物に示されるものは、バルブ６３２と、コイルアセンブリ７１０及びコアメンバ７０６とが機能的に接続されるものの同軸とする旨の開示はなく、バルブプランジャ７２４は、円錐部７２５を介して相対的に大径な部分とその先端に小径なボール７３４を押す部分を有するものである点
　そして、同相違点の構成を有することにより、本件請求項１の発明は、段落番号【００１５】に記載される「（イ）吐出口からドレン口への流量が増加し、ドレン口の作動応答性が向上する。」という効果を奏するものであるから、同構成の採用を設計上の事項に属するものとすることはできない。
　しかも、上記相違点の構成を慣用される技術であるとする客観的証拠は何等ない。
　よって、上記相違点の構成をその構成の一部とする本件請求項１に係る発明を、上記相違点の構成を開示するものではなく、それを示唆するものでもない甲第１号証の刊行物に記載された発明とすることはできないばかりではなく、甲第１号証の刊行物に記載された発明から当業者が容易に発明をすることができた発明とすることはできない。
　
３−５　取消理由通知について
　取消理由は、甲第１号証の刊行物を引用するものであり、上記検討のとおり、それをもって、本件請求項１に係る発明についての特許を取り消すことはできない。
　
３−６　むすび
　以上説示の通り、各特許異議申立の理由及び証拠によっては、本件請求項１に係る発明についての特許を取り消すことはできない。
　また、他に本件請求項１に係る発明についての特許を取り消すべき理由を発見しない。
　よって、結論のとおり決定する。
【異議決定日】
平成１２年１２月２５日（２０００．１２．２５）
【訂正の要旨】
１　特許請求の範囲の記載に関して
　訂正事項１
　請求項１に記載の「・・これに接続する・・シャフト先端の押し棒部が・・」を「・・これに同軸に接続する・・シャフト先端の前記ドレン弁部を介してシャフトより径小の押し棒部が・・」と訂正する。
２　発明の詳細な説明の記載に関して
　訂正事項２
　段落番号【０００６】に記載の「・・これに接続する・・シャフト先端の押し棒部が・・」を「・・これに同軸に接続する・・シャフト先端の前記ドレン弁部を介してシャフトより径小の押し棒部が・・」と訂正する。
（５４）【発明の名称】
三方電磁弁
（５７）【特許請求の範囲】
　【請求項１】　弁部とこれに
同軸に
前記ドレン弁部を介してシャフトより径小の
【発明の詳細な説明】
　【産業上の利用分野】
　この発明は自動車用の電子制御式オウトマチック　トランスミッションなどの油圧機器に使用される三方電磁弁に関するものである。
　【従来技術】
　自動車などの車両においてはオイルの消費量を低減するために二方弁から三方弁への切り替えが要求されている。然し三方弁は構造が複雑であるので例えば特開昭６４−６９８７５号公報に開示されている三方電磁弁はオイルの吸入口と吐出口とを連通する通路の断面積は比較的に大きく設定され、オイルの吐出口とドレン口とを連通する通路の断面積は小さく設定されている。このため弁の流量特性はオイルが吸入口から吐出口に向って流れる時は流量が大きく、吐出口からドレン口に向って流れる時は流量が小さい。
　【発明が解決しようとする課題】
　上記のような三方電磁弁の吐出口にピストン負荷を接続すると吸入口側はその上流側に設けた流体ポンプにより一定の高い圧力に保持されるが、ドレン口側はピストン負荷による押出し圧力を受けるので低圧となることがあり、通電による吸入口の作動応答性と電流カットによるドレン口の作動応答性に差があり、ドレン口の作動応答性が悪いと言う問題がある。
　このドレン口の作動応答性を向上させようとすると三方電磁弁全体のサイズが大きくなり、消費電力量が増加し、小型、低コストの電磁弁が得られないことになる。
　この発明はドレン口の作動応答性が吸入口の作動応答性と同程度に良く、しかも小型、低コストで消費電力量の少ない三方電磁弁の提供を課題とする。
　【課題を解決するための手段】
　上記の課題を解決するため、この発明の三方電磁弁は弁部とこれに
同軸に
前記ドレン弁部を介してシャフトより径小の
　【作用】
　上記の構成によりオイルの流産は弁の吐出口からドレン口に向かう場合の方が吸入口から吐出口に向かう場合よりも多いので、弁の吐出口にピストン負荷を装着した場合にドレン口の作動応答性はよくなり、吸相とドレン口との作動応答性の差が殆どなくなることになる。また、ソレノイド部の吸引力でシャフトを移動させ、押し棒部をボール弁に当接させて吸入口シートを開弁させると共に、更にシャフトを移動してドレン弁部がドレン口を閉弁させる。
　【実施例】
　以下実施例を示す図１〜３によりこの発明を説明する。三方電磁弁１は弁部２とソレノイド部３とから構成されている。弁部２は筒状のベース７内に同じく筒状の弁座８を有する構成となっており、ベース７の前端壁７１には吸入口４が、周壁７２には吐出口５がそれぞれ設けられている。吸入口４は図示しないオイルポンプに接続され、吐出口５は図示しない負荷に接続される。弁座８の内部孔は前側の小径の連通路８３とこれに段差を介して接続する後側の大径の連通路８４とからなり、また弁座８の周壁８５には前記吐出口５と連通路８４とを連通する流通路８６が設けられている。ベース７の前端壁７１と弁座８との間において、ベース７内にはボール弁１０が挿入されており、弁座８の前端にはボール弁１０が当接する吸入口シート８１が形成され、後端にはドレン口シート８２が形成されている。ドレン口シート８２は後述のソレノイド部３のシャフト９の移動によりシャフト９のドレン弁部９１に当接する。１７、１８はＯリングである。
　ソレノイド部３は弁部２の後端に同軸に取り付けられ、その筒状のヨーク１４の中心部にはシャフト９がその軸方向に移動可能に配置され、シャフト９の外側には筒状のステー夕コア１２が、ステータコア１２の外側にはコイル１６が配置されている。シャフト９の前端部は斜め段差状のドレン弁部９１を介してシャフト９より径小の押し棒部９２となっている。押し棒部９２はシャフト９の左方向への移動によりボール弁１０を押して吸入口シート８１を開弁する。シャフト９の後部にはムービングコア１１が固定され、ステータコア１２とムービングコア１１との間にはエアギャップ１９が設けられている。ムービングコア１１はリング状のプレート１３内に所定間隙を介して移動可能に配置され、プレート１３はストッパ１５によりヨーク１４からの脱落を防止されている。弁部２とソレノイド部３との接続部にドレン口６が殻けられ、このドレン口６は図示しないオイルタンクに連通する。
　上記の構成において、三方電磁弁１に非通電の場合では吸入口４からのオイルの印加圧によりボール弁１０が吸入口シート８１を押圧して閉弁し、ドレン口シート８２を開弁状態に保持する。通電時ではムービングコア１１がステータコア１２に引き寄せられて図１で左方向に移動し、押し棒部９２がボール弁１０を左方に押して弁座８の吸入口シート８１を開弁し、シャフト９のドレン弁部９１が弁座８のドレン口シート８２を閉弁させる。連通路８４の断面積は連通路８３の断面積より大きいので（ドレン口流量）＞（吸入口流量）となる。ここで（ドレン口シート８２の径）＞（吸入口シート８１の径）であるので、ソレノイド吸引力によるドレン弁部９１に置ける閉弁力はボール弁１０における開弁力より強くする必要があるが、上記のように押し棒型のソレノイド部３を使用したので、図３に示すようにソレノイド吸引力特性と開弁．閉弁力の関係が成立し、図３の点（イ）に示すドレン口シート８２の閉弁力（吸引部エアギャップ位置Ｓ２）は図３の点（ロ）に示す吸入口シート８１の開弁力（吸引部エアギャップ位置Ｓ１）より大きくなる。従ってソレノイド吸引力を有効に利用することができる。この結果小型、低コストの大流量の三方電磁弁の開発が可能となる。
　その他の本発明の利点として吸入口４のオイルの流量が小さいため、弁作動時の吸入口４からドレン口６へのオイル漏れ量が少なくなる。又吐出口５にピストン負荷を接続したときに吸入口４、ドレン口６の作動応答性の差が小さくなるのでパルス　ワイド　モジュレーション作動時の油圧特性リニアリティが向上する。更に弁部２の油路とソレノイド部３の磁気回路とがシャフト９により分離されるのでソレノイド部３の異物侵入防止機能が向上する。
　図４は本発明の使用例を示したものであり、オイルポンプ２０は吸入口４に連通し、吐出口５はピストン負荷２１に連通し、ドレン口６はオイルタンク２２に連通している。その他の構成は図１と同じであるので説明を省く。又作用も上記の通りである。
　表１は本発明の三方電磁弁と従来の三方電磁弁との試験結果を示したものであり、同一の電流に対し本発明の三方電磁弁は吐出口からドレン口ヘの流量（リットル／分）が従来品より優れ、又油圧応答性も優れている。
　【表１】
　【効果】
　この発明は上記の構成を有するので次のような優れた効果を有する。
（イ）吐出口からドレン口ヘの流量が増加し、ドレン口の作動応答性が向上する。
（ロ）小型、低コストで消費電力量が少ない。
【図面の簡単な説明】
　【図１】
　一実施例の縦断正面図である。
　【図２】
　弁部の拡力縦断正面図である。
　【図３】
　ソレノイド吸引力と吸引部エアギャップとの関係図である。
　【図４】
　使用例の正面図である。
　【符号の説明】
　１　三方電磁弁
　２　弁部
　３　ソレノイド部
　４　吸入口
　５　吐出口
　６　ドレン口
　８３　連通路
　８４　連通路